(57)【要約】【課題】机上棚や本立の背面部の被取付部に仕切板を簡単に着脱可能に取付けることができ、しかも仕切板の横方向の取付位置の変更も容易である仕切板の取付装置を提供する。【解決手段】被取付部Ａには横方向に延びた平行な開口溝２５を形成し、開口溝の上下縁背面側を上係止縁２６と下係止縁２７となし、仕切板８には一側縁の固定面２８から板部２９に沿って内方へ通孔３０を形成し、板部に通孔と連通する円形穴３１を形成し、連結具２４は開口溝に嵌合する本体部３２の上下端に上係止縁と下係止縁に係合する突片３３を形成し、本体部の前面に仕切板の通孔に挿入する頭付き締付ピン３４を突設し、連結具の上下突片を開口溝の上係止縁と下係止縁に係合し、締付ピンを仕切板の通孔に挿入し且つ締付ピンの頭部を円形穴内に配した回転締付具３５に係合して引き付けて固定してなる。【選択図】　　　　図５
2004016477.tif 000002
【特許請求の範囲】
【請求項１】
書棚や本立等の被取付部に、連結具を介して横方向位置変更可能且つ着脱可能に仕切板を取付けてなる取付装置であって、前記被取付部には、横方向に延びた平行な開口溝を形成し、該開口溝の上下縁背面側を上係止縁と下係止縁となし、前記仕切板には、一側縁の固定面から板部に沿って内方へ通孔を形成するとともに、板部に通孔と連通する円形穴を形成し、前記連結具は、前記開口溝に嵌合する本体部の上下端に前記上係止縁と下係止縁に係合する突片を形成するとともに、本体部の前面に前記仕切板の通孔に挿入する頭付き締付ピンを突設したものであり、前記連結具の上下突片を前記開口溝の上係止縁と下係止縁に係合するとともに、前記締付ピンを前記仕切板の通孔に挿入し且つ該締付ピンの頭部を前記円形穴内に配した回転締付具に係合して引き付けて固定してなることを特徴とする仕切板の取付装置。
【請求項２】
前記仕切板の固定面で前記通孔の近傍に単又は複数の係合孔を形成し、前記連結具の本体部の前面に前記係合孔に係合するダボを突設してなる請求項１記載の仕切板の取付装置。
【請求項３】
前記仕切板には側面視において互いに直交した２辺の固定面と当接面とを有し、前記固定面を前記被取付部に取付けた状態で、前記当接面が書棚や本立等の棚板又は載置板に当接するように寸法設定してなる請求項１又は２記載の仕切板の取付装置。
【請求項４】
前記開口溝を、書棚や本立等の背当板の下縁部と、棚板又は載置板の後縁部との間に形成し、前記上係止縁を背当板の下縁部に形成し、前記下係止縁を棚板又は載置板の後縁部に形成してなる請求項１〜３何れかに記載の仕切板の取付装置。
【請求項５】
前記開口溝を、書棚や本立等の背当板の下縁部と、棚板又は載置板の後端に上方へ突出するように設けた背板の上縁部との間に形成し、前記上係止縁を背当板の下縁部に形成し、前記下係止縁を背板の上縁部に形成してなる請求項１〜３何れかに記載の仕切板の取付装置。
【発明の詳細な説明】
【０００１】
【発明の属する技術分野】
本発明は、仕切板の取付装置に係わり、更に詳しくは例えば机の天板後部に机上棚を載置した棚付き学習机において書棚の棚板又は本立の載置板の上位の被取付部に仕切板を取付ける取付装置に関するものである。
【０００２】
【従来の技術】
従来から、学習机の天板後部に載置固定する机上棚として、両側板と背板で形成された内部空間に棚板や本立を組み込んだものは各種提供され、またパーソナルコンピュータ等の電子機器の設置スペースを確保するために棚板を着脱自在となしたものも提供されている。
【０００３】
例えば、本出願人の先願に係る特公平５−１０９２４号公報には、机上棚として、両側板と背板で形成された内部空間内に、小型書棚様本立を着脱自在に取付けるとともに、対向して離間した側板と前記本立の側板間に棚板を着脱自在に架設してなる構造が開示され、また特公平５−５４８５号公報には、机上棚として、両側板と背板で形成された内部空間内に、学習机の天板との間に空間を残して本立を着脱自在に取付けた構造が開示されている。
【０００４】
また、従来から、棚や本立においては、書籍等の収納物の転倒を防止するために、棚板や載置板の上面に仕切板を立設することは周知である。その場合、仕切板を棚板や載置板の上面と背当板の前面とに、ダボ、接着により固定する方法や、棚板や載置板の下面及び背当板の後面から貫通させたネジを仕切板に螺合して着脱可能に取付ける方法等が採用されている。
【０００５】
また、仕切板は、書籍等の収納物の転倒を防止する反面、収容物の大きさ、量に制限を与えるので、当該仕切板を左右方向へ移動可能となし、所定位置で固定できるようにした取付構造のものも提供されている。例えば、棚板や載置板に、横長の貫通孔を形成し、該貫通孔に下方から貫通させたネジを仕切板に螺合し、仕切板の位置を変更させるときには、ネジを緩めて仕切板を所定位置に移動させた後、再度ネジを締付けるようにしたものがある。しかし、前記仕切板を立設した側である机上棚の棚板や本立の載置板の上面側からの操作のみで該仕切板を棚板等に着脱可能に取付けることができるものは提供されていなかった。
【０００６】
また、実公昭４７−１８７８号公報には、棚板の後部に上下に間隔を設けて上方繋桟と下方繋桟を設け、それぞれに形成した凹溝に、上下方向に弾性復元性のある区画体の上方滑走体と下方滑走体を嵌装し、当該区画体の位置を横方向へ変更できるようになしたものも公知である。しかし、単に区画体の弾性復元力のみで保持する場合、区画体が不意に横方向へ移動したり、外れるといった問題がある。
【０００７】
【発明が解決しようとする課題】
本発明が前述の状況に鑑み、解決しようとするところは、机上棚や本立の背面部の被取付部に仕切板を簡単に着脱可能に取付けることができ、しかも仕切板の横方向の取付位置の変更も容易である仕切板の取付装置を提供する点にある。
【０００８】
【課題を解決するための手段】
本発明は、前述の課題解決のために、書棚や本立等の被取付部に、連結具を介して横方向位置変更可能且つ着脱可能に仕切板を取付けてなる取付装置であって、前記被取付部には、横方向に延びた平行な開口溝を形成し、該開口溝の上下縁背面側を上係止縁と下係止縁となし、前記仕切板には、一側縁の固定面から板部に沿って内方へ通孔を形成するとともに、板部に通孔と連通する円形穴を形成し、前記連結具は、前記開口溝に嵌合する本体部の上下端に前記上係止縁と下係止縁に係合する突片を形成するとともに、本体部の前面に前記仕切板の通孔に挿入する頭付き締付ピンを突設したものであり、前記連結具の上下突片を前記開口溝の上係止縁と下係止縁に係合するとともに、前記締付ピンを前記仕切板の通孔に挿入し且つ該締付ピンの頭部を前記円形穴内に配した回転締付具に係合して引き付けて固定してなる仕切板の取付装置を構成した。
【０００９】
ここで、前記仕切板の固定面で前記通孔の近傍に単又は複数の係合孔を形成し、前記連結具の本体部の前面に前記係合孔に係合するダボを突設してなることが好ましい。
【００１０】
そして、前記仕切板には側面視において互いに直交した２辺の固定面と当接面とを有し、前記固定面を前記被取付部に取付けた状態で、前記当接面が書棚や本立等の棚板又は載置板に当接するように寸法設定してなることがより好ましい。
【００１１】
また、前記開口溝を、書棚や本立等の背当板の下縁部と、棚板又は載置板の後縁部との間に形成し、前記上係止縁を背当板の下縁部に形成し、前記下係止縁を棚板又は載置板の後縁部に形成してなるものである。
【００１２】
あるいは、前記開口溝を、書棚や本立等の背当板の下縁部と、棚板又は載置板の後端に上方へ突出するように設けた背板の上縁部との間に形成し、前記上係止縁を背当板の下縁部に形成し、前記下係止縁を背板の上縁部に形成してなるものである。
【００１３】
【発明の実施の形態】
次に本発明の実施形態を添付図面に基づき更に詳細に説明する。図１は机１の天板後部に机上棚２を載置した本発明の実施形態に係る棚付き学習机を示し、図２〜図４は机上棚２の詳細を示している。本実施形態では前記机上棚２として上下分離型の構造のものを示したが、上下一体型の構造のものでも良い。ここで、図中符号３は側板、４は背板、５は棚板、６は本立、７は小棚板、８は仕切板をそれぞれ示している。また、下部棚を２Ａ、上部棚を２Ｂとし、下部棚２Ａに関する構成には「Ａ」を付し、上部棚２Ｂに関する構成には「Ｂ」を付している。
【００１４】
前記机１は、図１に示すように、天板９の両側に脚板１０，１０を有し、両脚板１０，１０の後端部間に幕板を備えた構造のものであり、本発明ではその構造に特に限定されない。また、前記机上棚２は、図１〜図４に示すように、本実施形態では下部棚２Ａと上部棚２Ｂとを連結、分離が可能なものである。また、前記下部棚２Ａを机天板９に載置して固定する手段としては、従来と同様に止金具を用いて行うなど、適宜な固定手段を採用し得る。
【００１５】
前記下部棚２Ａは、両側板３Ａ，３Ａの後部間に背板４Ａを設けたものであり、両側板３Ａ，３Ａと背板４Ａとでオープンな収納空間を形成した構造である。また、前記上部棚２Ｂは、両側板３Ｂ，３Ｂの上下中間位置に棚板５を渡設し、両側板３Ｂ，３Ｂの後端部間の上下に、それぞれ背当板１１と背板４Ｂとを互いの間に隙間を設けて渡設したものである。更に、前記上部棚２Ｂの棚板５の下面側には照明具１２を設けている。
【００１６】
そして、下部棚２Ａに上部棚２Ｂを載置し、両側部において上下に位置する側板３Ａ，３Ａと背板４Ａ，４Ｂを接合し、側板３Ａ，３Ａ同士を適宜な連結具にて互いに引き付け連結している。前記下部棚２Ａの両側板３Ａ，３Ａと背板４Ａ及び上部棚２Ｂの両側板３Ｂ，３Ｂと背板４Ｂと棚板５とで内部空間１３が形成され、該内部空間１３内に前記本立６及び小棚板７を左右組替え可能となして簡単に使用形態を変更することができるように配設している。尚、前記照明具１２を支持する後方へ延びたアーム部１２Ａは、前記背板４Ｂの中央部上端に形成した切欠開口１４から背面側に貫通し、該アーム部１２Ａに連結した支柱部１２Ｂを前記背板４Ａの背面に適宜な固定具１５，１５にて取付けている。
【００１７】
ここで、前記本立６は、図１〜図５に示すように、載置板１６の両側に配した両側面板１７，１７の後部間に、下縁を開放した背面板１８を渡設するとともに、前記載置板１６の左右中央部に固定仕切板１９を立設して背面板１８と連結し、更に前記載置板１６より下方に延設した両側面板１７，１７間に引出し２０，２０を設けている。そして、前記本立６は、下部棚２Ａの両側板３Ａ，３Ａ間の中央部側の背板４Ａに着脱可能に取付けた背部受具２１に、前記背面板１８の下縁端部に形成した下縁係合部１８Ａを係止するとともに、一方の側板３Ａの内面側に取付けた側部受具２２に、前記側面板１７の下端係合部１７Ａを嵌合状態で載支して、前記内部空間１３内に着脱可能に取付けている。
【００１８】
また、前記小棚板７は、図１及び図２に示すように、前記本立６の中央部側の側面板１７と、該側面板１７と対面する下部棚２Ａの側板３Ａとの間に、一対の支持具２３，２３によって着脱可能に取付けている。本実施形態では、前記支持具２３としては、金属棒を平面視略コ字形に屈曲して形成した線ダボを用い、該支持具２３を前記側板３Ａと側面板１７とに着脱可能且つ高さ位置変更可能に水平突出状態で取付け、該支持具２３の突出部に前記小棚板７の両側端面に形成した支持溝７Ａ，７Ａにスライド係合させて支持している。尚、支持具２３として線ダボの代わりに、ピンダボを用いても良い。
【００１９】
そして、前記本立６と小棚板７を左右入れ替えるには、先ず小棚板７を抜き取り、両支持具２３，２３を外し、本立６を持上げて外した後、前記背部受具２１はそのままで、前記側部受具２２を反対側の側板３Ａに付け替え、本立６を背部受具２１と側部受具２２とで支持し、それから支持具２３，２３を互いに対面する側板３Ａと側面板１７の所定高さに取付け、最後に前記小棚板７をスライド係合させる。しかし、本発明では、本立６を机上棚２の内部空間１３内に着脱可能、左右位置替え可能に取付ける構造は特に限定されず、また本立６及び小棚板７の取付位置が固定的であっても良い。
【００２０】
次に、本発明の詳細を図１〜図７に基づき説明する。本発明は、書棚や本立等の被取付部Ａに、連結具２４を介して横方向位置変更可能且つ着脱可能に仕切板８を取付けてなる取付装置であって、前記被取付部Ａには、横方向に延びた平行な開口溝２５を形成し、該開口溝２５の上下縁背面側を上係止縁２６と下係止縁２７となし、前記仕切板８には、一側縁の固定面２８から板部２９に沿って内方へ通孔３０を形成するとともに、板部２９に通孔３０と連通する円形穴３１を形成し、前記連結具２４は、前記開口溝２５に嵌合する本体部３２の上下端に前記上係止縁２６と下係止縁２７に係合する突片３３，３３を形成するとともに、本体部３２の前面に前記仕切板８の通孔３０に挿入する頭付き締付ピン３４を突設したものであり、前記連結具２４の上下突片３３，３３を前記開口溝２５の上係止縁２６と下係止縁２７に係合するとともに、前記締付ピン３４を前記仕切板８の通孔３０に挿入し且つ該締付ピン３４の頭部３４Ａを前記円形穴３１内に配した回転締付具３５に係合して引き付けてなるものである。
【００２１】
更に、前記仕切板８の固定面２８で前記通孔３０の近傍に単又は複数の係合孔３６，３６を形成し、前記連結具２４の本体部３２の前面に前記係合孔３６，３６に係合するダボ３７，３７を突設し、前記仕切板８に対して前記連結具２４が回転しないようにしている。
【００２２】
また、前記仕切板８には側面視において互いに直交した２辺の前記固定面２８と当接面３８とを有し、前記固定面２８を前記被取付部Ａに取付けた状態で、前記当接面３８が書棚や本立等の棚板５又は載置板１６に当接するように寸法設定している。尚、前記仕切板８の当接面３８に滑り止め用のバッド３９を設けることも好ましい。
【００２３】
ここで、図５及び図６に示すように、前記開口溝２５を、書棚や本立等の背当板１１の下縁部と、棚板５又は載置板の後縁部との間に形成し、前記上係止縁２６を背当板１１の下縁部に形成し、前記下係止縁２７を棚板５又は載置板の後縁部に形成している。あるいは、図８に示すように、前記開口溝２５を、書棚や本立等の背当板１１の下縁部と、棚板５又は載置板１６の後端に上方へ突出するように設けた背板４Ａの上縁部との間に形成し、前記上係止縁２６を背当板１１の下縁部に形成し、前記下係止縁２７を背板４Ａの上縁部に形成している。
【００２４】
ここで、前記回転締付具３５は、締付ピンとともに、ハーフェレー金具として市販されているものであり、このハーフェレー金具は、締付ピンの頭部を受け入れて一方向回転によって偏心傾斜縁にて引き込む構造のものである。本実施形態においては、前記締付ピン３４は、前記連結具２４を強度の高い合成樹脂で成形する際に、本体部３２と一体に形成している。勿論、図１１に示すように、市販のハーフェレー金具の締付ピン４０の螺軸部４０Ｂを連結具２４の本体部３２の孔３２Ａに螺合して突設しても良い。
【００２５】
ここで、前記仕切板８を上部棚２Ｂの棚板５後方の被取付部Ａに取付けるには、前記仕切板８の固定面２８を背当板１１に当接するとともに、当接面３８を棚板５に当接した状態で、前記開口溝２５の背後から前記連結具２４の本体部３２を嵌合するとともに、前記締付ピン３４とダボ３７をそれぞれ仕切板８の通孔３０と係合孔３６に挿入するとともに、本体部３２の上下突片３３，３３を前記開口溝２５の上係止縁２６と下係止縁２７に係合させ、それから前記回転締付具３５を円形穴３１に側方から挿入して前記締付ピン３４の頭部３４Ａを係合し、そして当該回転締付具３５を一方向へ回転させて締付ピン３４を引き込み、もって前記固定面２８を背当板１１に強く接触させて固定するのである。また、前記仕切板８の位置を変更するときには、前記回転締付具３５を逆方向へ回転させて締付ピン３４に対する引き付けを解除し、その状態で開口溝２５に沿って横方向へスライド移動させ、所定位置で前記回転締付具３５を再度一方向へ回転させて締付けるのである。
【００２６】
図７に示した第１実施形態の連結具２４は、本体部３２の上下端に前記開口溝２５の上下縁に接合する距離を長くするように、幅広の係合部４１，４１を形成している。それにより、前記連結具２４の本体部３２が前記開口溝２５内に嵌合した取付状態で、該連結具２４が回転することがなく、従って仕切板８を立起状態で安定に支持することができる。
【００２７】
一方、図９に示した第２実施形態の連結具２４は、前記係合部４１，４１の代わりに、本体部３２の上下端に円弧面４２，４２を形成し、前記連結具２４の本体部３２が前記開口溝２５内に嵌合した状態でも連結具２４を回転させることができる。つまり、前記連結具２４を前記仕切板８の固定面２８にセットし、前記回転締付具３５で緩く引き付けた状態で、該仕切板８を倒した状態で、前面側から前記開口溝２５内に挿入し、それから該仕切板８を立起させて、本体部３２を開口溝２５内に嵌合すると同時に、上下の突片３３，３３を上係止縁２６と下係止縁２７に係合させることができ、それから前記回転締付具３５を一方向へ回転させて締付ピン３４を引き込んで、仕切板８を固定するのである。
【００２８】
尚、前記仕切板８を前面側からの作業のみで被取付部Ａに装着できるようにするため、前記開口溝２５の上下縁、即ち前記上係止縁２６と下係止縁２７の一部に、前記連結具２４の上下突片３３，３３が前後方向に通過可能な切欠部を形成することも好ましい。その場合、前記仕切板８に前記連結具２４を緩めに仮止めした状態で、前記上下突片３３，３３を切欠部から挿入した後、横方向へスライド移動させて該上下突片３３，３３を前記開口溝２５の上係止縁２６と下係止縁２７とに係止させるのである。
【００２９】
図１０に示した第３実施形態の連結具２４は、本体部３２の横幅を第１実施形態のものより狭く設定したものであり、その他の構造は略同様である。
【００３０】
また、本発明では、前記仕切板８は上部棚２Ｂの棚板５と背当板１１に取付けるのみならず、図１２に示したように、前記本立６の載置板１６と背面板１８に同様に取付けることが可能である。この場合、前記本立６を机上棚２に前述のように取付けた場合、その背面板１８は、下部棚２Ａの背板４Ａと面接合するので、前記連結具２４の本体部３２が背面板１８より後方へ突出しないように、前記上係止縁２６と下係止縁２７を段落ちさせて形成している。また、前記上部棚２Ｂと本立６の被取付部Ａの構造を共通化し、同一の連結具２４を用いれば、前記仕切板８を上部棚２Ｂと本立６との間で付け替えることができる。その他の構成は前記同様であるので、同一構成には同一符号を付して、その説明は省略する。
【００３１】
また、本発明を利用して図１３に示したような机上棚２へ組み込む本立４３を構成できる。つまり、前記同様な２枚の仕切板８，８と、水平板４４と垂直板４５とを用い、一定間隔を置いた前記仕切板８，８の下部間に前記水平板４４を着脱可能に連結するとともに、後部間に前記垂直板４５を着脱可能に連結する。そして、前記仕切板８，８は、前記同様に前記連結具２４と回転締付具３５を用いて被取付部Ａに取付けるのである。
【００３２】
【発明の効果】
以上にしてなる請求項１に係る発明の仕切板の取付装置は、書棚や本立等の被取付部に、連結具を介して横方向位置変更可能且つ着脱可能に仕切板を取付けてなる取付装置であって、前記被取付部には、横方向に延びた平行な開口溝を形成し、該開口溝の上下縁背面側を上係止縁と下係止縁となし、前記仕切板には、一側縁の固定面から板部に沿って内方へ通孔を形成するとともに、板部に通孔と連通する円形穴を形成し、前記連結具は、前記開口溝に嵌合する本体部の上下端に前記上係止縁と下係止縁に係合する突片を形成するとともに、本体部の前面に前記仕切板の通孔に挿入する頭付き締付ピンを突設したものであり、前記連結具の上下突片を前記開口溝の上係止縁と下係止縁に係合するとともに、前記締付ピンを前記仕切板の通孔に挿入し且つ該締付ピンの頭部を前記円形穴内に配した回転締付具に係合して引き付けて固定してなるので、机上棚や本立の背面部の被取付部に仕切板を簡単に着脱可能に取付けることができ、しかも仕切板の横方向の取付位置の変更も容易である。
【００３３】
請求項２によれば、仕切板に対して連結具を回転することなく連結でき、従って被取付部に仕切板を取付けた際に、支持状態が安定である。
【００３４】
請求項３によれば、取付状態において仕切板の固定面と当接面とが、背当板や書棚や本立等の棚板又は載置板に当接するので更に安定に支持することができる。
【００３５】
請求項４又は５によれば、机上棚の棚板又は本立の載置板の上で横方向任意の位置に仕切板を立起状態で取付けることができ、取付位置の変更も容易である。
【図面の簡単な説明】
【図１】本発明の実施形態に係る棚付き学習机の全体斜視図である。
【図２】机上棚の分解斜視図である。
【図３】同じく机上棚の縦断面図である。
【図４】同じく机上棚の背面図である。
【図５】本発明の要部を一部破断して示した部分斜視図である。
【図６】同じく第１実施形態の連結具を用いて仕切板を取付けた状態の縦断側面図である。
【図７】図６で用いた連結具の拡大斜視図である。
【図８】第２実施形態の連結具を用いて仕切板を取付けた状態の縦断側面図である。
【図９】図８で用いた連結具の拡大斜視図である。
【図１０】第３実施形態の連結具の拡大斜視図である。
【図１１】第１実施形態の連結具の変形例を示す部分斜視図である。
【図１２】本立に仕切板を取付けた構造を示す部分拡大縦断側面図である。
【図１３】２枚の仕切板と水平板と垂直板とを用いて構成した本棚を示し、（ａ）は分解斜視図、（ｂ）は組立状態の斜視図である。
【符号の説明】
Ａ　被取付部
１　机　　　　　　　　２　机上棚
２Ａ　下部棚　　　　　２Ｂ　上部棚
３、３Ａ、３Ｂ　側板　４、４Ａ、４Ｂ　背板
５　棚板　　　　　　　６　本立
７　小棚板　　　　　　８　仕切板
９　天板　　　　　　　１０　脚板
１１　背当板　　　　　１２　照明具
１２Ａ　アーム部　　　１２Ｂ　支柱部
１３　内部空間　　　　１４　切欠開口
１５　固定具　　　　　１６　載置板
１７　側面板　　　　　１７Ａ　下端係合部
１８　背面板　　　　　１８Ａ　下縁係合部
１９　固定仕切板　　　２１　背部受具
２２　側部受具　　　　２３　支持具
２４　連結具　　　　　２５　開口溝
２６　上係止縁　　　　２７　下係止縁
２８　固定面　　　　　２９　板部
３０　通孔　　　　　　３１　円形穴
３２　本体部　　　　　３３　上下突片
３４　締付ピン　　　　３４Ａ　頭部
３５　回転締付具　　　３６　係合孔
３７　ダボ　　　　　　３８　当接面
３９　バッド　　　　　４０　締付ピン
４１　係合部　　　　　４２　円弧面
４３　本立　　　　　　４４　水平板
４５　垂直板
【図１】
2004016477.tif 000003
【図２】
2004016477.tif 000004
【図３】
2004016477.tif 000005
【図４】
2004016477.tif 000006
【図５】
2004016477.tif 000007
【図６】
2004016477.tif 000008
【図７】
2004016477.tif 000009
【図８】
2004016477.tif 000010
【図９】
2004016477.tif 000011
【図１０】
2004016477.tif 000012
【図１１】
2004016477.tif 000013
【図１２】
2004016477.tif 000014
【図１３】
2004016477.tif 000015